(57)【要約】【課題】一般家庭用或は、小規模業務用の冷蔵庫の冷凍室内に配置し、液面接触による冷凍を簡単に可能とし、冷凍食品の品質を向上させる。  更に専用の冷凍室を設ける場合、より完全な冷凍食品の製造を可能とする。【解決手段】冷却用不凍液（ブライン）をプラスチック製の袋に密封封入して、準液面接触による冷凍が可能なようにし、かつブライン収容容器によって取扱いの簡易化を計る。  更に専用冷凍室を設ける場合、ブラインと冷却プレートとを用い、冷却プレートに強制的に冷気を供給することにより完全な冷凍品の製造を可能とする。【選択図】図１
2005192533.tif 000002
【特許請求の範囲】
【請求項１】
被冷凍食品の急速冷凍に当り、ブラインと称する不凍液を、プラスチック等の柔軟性があり、熱伝導の良好な袋内に密封封入したブライン袋を用い、１個以上のブライン袋を冷凍室内に載置した上側に放熱板として使用する金属製冷却プレートを配置し、該冷却プレートとブライン袋の間、或はブライン袋間に被冷凍食品を挿入配置することにより、被冷凍食品の外周の少なくとも大半を不凍液中に浸漬したと同程度に低温環境で包囲して、気体接触冷凍に比し、少なくとも数倍の速度で急速冷凍することを特徴とする液面接触による食品の急速冷凍方法。
【請求項２】
ブラインは重量比でほぼ次の比率とする、
水・・・７０％
塩・・・１０％
エチルアルコール・・・２０％
請求項１記載の液面接触による食品の急速冷凍方法。
【請求項３】
ブラインに少量の塩化カルシウム（CaCl2）、エチレングリコール（HO・CH2・CH2・OH）を付加した請求項２記載の液面接触による食品の急速冷凍方法。
【請求項４】
前記金属製冷却プレートに放熱フィンを設けた請求項１記載の液面接触による食品の急速冷凍方法。
【請求項５】
前記金属製冷却プレートを枢支回動自在とし、該冷却プレートとブライン袋間の被冷凍食品の挿入を容易とした請求項１記載の液面接触による食品の急速冷凍方法。
【請求項６】
営業用又は家庭用電気冷蔵庫に、急速冷凍専用の冷凍室を設け、冷凍室の温度を少なくとも−３０℃以上の低温とし、１個以上のブライン袋と、その上に移動可能に設けた金属製冷却プレートを用い、ブライン袋と冷却プレートの間或はブライン袋間に被冷凍食品を配置して液面接触による食品の急速冷凍を可能とした電気冷蔵庫。
【請求項７】
前記金属製冷却プレートの上面に冷気を集中して吹付ける如くした請求項６記載の電気冷蔵庫。
【請求項８】
冷凍室の一部を引出し可能形式とし、低温状態の保持を容易とした請求項６記載の電気冷蔵庫。
【請求項９】
既存の電気冷蔵庫の冷凍室内に収容し得る外形寸法とした熱伝導の良好な材料製のブライン袋収容容器内に１個以上のブライン袋を配置し、ブライン袋間、あるいはブライン袋と冷却プレート間に被冷凍品を挿入して、液面接触による熱放散冷却によって冷凍を行うことを特徴とする液面接触式簡易冷凍器。
【請求項１０】
前記ブライン袋収容容器にはブライン袋上側を蔽う放熱用冷却板を移動可能に設けた請求項９記載の液面接触式簡易冷凍器。
【請求項１１】
前記冷却板には冷却用フィンを設けた請求項９記載の液面接触式簡易冷凍器。
【請求項１２】
前記冷却板にヒンジを設け、ブライン袋収容容器に設けた溝とヒンジの係合により冷却板の枢動並びに取外しを可能とし、被冷凍食品の挿入を容易とした請求項９記載の液面接触式簡易冷凍器。
【発明の詳細な説明】
【技術分野】
【０００１】
本発明は、食肉或は食用魚介類や加工食品等の食品全般の急速冷凍方法及び装置に関するものである。
【背景技術】
【０００２】
本出願人は、同一の発明者により、特許第２０１１５９１号（特公平７−２８７１０号）を取得している。
本特許発明に開示したように、食肉或は食用魚介類等を冷凍保存する場合、一般の家庭用に普及している冷蔵庫に附設されている冷凍室は、大体−２０℃〜−２３℃前後の温度となっている。この内での気体接触冷凍では一定の大きさ、例えば厚さ２０ｍｍ程度の冷凍品が、その中心部迄冷凍庫内の温度に冷却されるには、４〜５時間程度を必要とするので、食肉成分中の水分が、細胞中より分離して凍結してしまい、解凍時に血液と共にドリップとして流出し、食肉等では著しく風味を損なうという問題があった。この為前記特許では、−３０℃以下の低温の冷却用不凍液中に、密封した包装状態の食品を機械的に降下して浸漬させ、冷却液の液温は四周より冷却し、かつ撹拌等を併せ行って低温状態を均一に保ちつつ、−３０℃〜−６０℃の冷凍温度迄食品の全周辺より内部迄数十分程度の短時間で凍結させるものであった。
すなわち食肉等の食品の外周より熱伝導が良好な液面接触を保って最大氷結品生成帯温度（−１℃〜−５℃）を如何にして急速に通過させて温度を低下させるかという問題を解決したものである。
【０００３】
一方食品の急速冷凍でも−７０℃以下もの低温では、表面のみ急速に凍結し、熱の不良伝導帯を形成してしまい、更にその後に内部の凍結膨張によるクラックを生じたりして、その結果は好ましくない。
【発明の開示】
【発明が解決しようとする課題】
【０００４】
しかし、前記特許の液面接触による凍結冷凍方法は装置が大形化するので、その使途が業務用等大量の冷凍用に限定され、一般家庭用或は小規模の業務用には簡単に使用できないという難点があった。
【課題を解決するための手段】
【０００５】
本発明においては、前記特許で冷凍液中に密封包装した食品を浸漬させるという発想を、反転し、冷凍液を包装密閉し、これに被冷凍品を挟持させ、或は片面を略々液状接触させ他の片面には熱伝導性の良い金属板を当接させて、食品の外形を液体で包囲するのと同等に金属面又は液面による接触により前記特許と略々同程度の急速凍結による冷凍を冷凍専用の冷凍室の設けられた電気冷蔵庫等により簡単に行おうとするものである。
【０００６】
本発明の着想を実現するに当り、本発明者は次の点に考慮した。１つには、現在既に極めて多数が普及存在している家庭用又は小型の業務用電気冷蔵庫に対しても応用可能な手段を考慮したことにある。
このため本発明には２つの着想があり、ひとつは上述の既存の冷蔵庫に簡単に適用できる簡易型の液面接触式簡易冷凍器を案出したものであり、２つには、より完全な機器として、新規に発売する電気冷蔵庫に付加して設置するより完全な機能をもった液面接触式冷凍室を着想したものである。
【０００７】
本発明においては、プラスチック皮膜を介して冷却液に接触するか、或は冷却液よりもより急速に冷却が可能な金属製冷却プレートを介し、被冷凍食品の外周をほぼ完全に覆う如くして行う冷却による冷凍を液面接触冷凍と定義する。
【０００８】
本発明の実施例を、先ず簡易型の液面接触冷凍器について説明する。
本発明においては、上記の着想に基づいて、既に一般に広く普及している電気冷蔵庫の冷凍室内に設置し得る寸法の、金属製枠体を有する収納ユニットを設け、その内に通称ブラインと呼称される不凍液を丈夫な塩化ビニール等のプラスチック製の袋内に密封したものを複数個配置し、庫内の低温（約−２０℃）に冷却されている複数のブライン収納袋の間又は、ブライン収納袋と外枠に設けた移動式の蓋で形成する放熱板としての冷却プレートの間に被冷凍品を挿入挟持し、液中に浸漬させた場合と略々同じ様に、被冷凍食品の全外周より、液面接触の状態を生起させて冷凍を行うものである。
【実施例１】
【０００９】
図面を参照して本発明の第１実施例を説明する。
図１は本発明の簡易冷凍器の試作品の１例を示す斜視図である。
本発明は試作品の寸法に限定されないが、厚さ３ｍｍ程度厚肉のアルミニウム板を用いたブライン袋収容容器１０は底辺が２５ｃｍ×２５ｃｍの正方形で高さ約１０ｃｍとするとほとんどの冷蔵庫の冷凍室に収容可能なことが判った。
【００１０】
図中２０は２〜４段に積重ねたブライン袋を示す。ブラインとして−３０℃でも凍結しない不凍液約１リットルを塩化ビニール等のプラスチック袋内に密封してある。使用する袋は熱伝導が良く強度のあるものが好ましい。
【００１１】
図中１２はブライン袋の上側に位置する放熱用の冷却プレートであり、放熱能率向上のため多数のフィン１８を上側に設けてある。
【００１２】
冷却プレート１２の後側にはヒンジ１４を設け収容容器１０に設けた溝１６と係合させ取外し、又は開閉を容易に可能としている。
【００１３】
図２は容器１０の平面図であり、図３及び４は比較的肉薄の被冷凍品３０をブライン袋２０と冷却プレート１２との間に挿入した状況を示す略図である。
【００１４】
（効果）
本発明の第１実施例は、上の如く図面を参照して説明したように、広く一般に普及している家庭用、或は業務用冷蔵庫の冷凍庫内に簡単に設置でき、ブライン収納袋の間、或はブライン収納袋と放熱板との間に被冷凍食品を単に挿入するのみで簡単に一般家庭又は小店舗において、液面接触の原理を用いて冷凍品を作ることができる。
本発明はとくに例えば、厚さが、１０〜３０ｍｍ程度のステーキ用牛肉等の冷凍に極めて効果的である。なお、厚さ３０ｍｍ以上のものはブライン収納袋の間に挿入して冷却する。
【００１５】
又、本発明は一般家庭用冷凍冷蔵庫用のみでなくレストランやホテル用の業務用冷凍庫にも適用できる。この凍結方法は、業務用もしくは家庭用の冷凍冷蔵庫の冷凍室部分にセットをして凍結する方式である。業務用や一般家庭用の冷凍室では、小さな冷凍機（コンプレッサー）を使用するため凍結能力が非常に小さく、そのために凍結するにも時間が長くかかり良い凍結品は出来ない。
【００１６】
しかし、この発明の方式であれば小さなカロリーでも液体或は金属板による熱伝導をさせ、カロリーを貯めることによって大きな凍結能力を持ち、そのカロリーを凍結する製品に一気に熱伝導させることによってスピード凍結が可能となる。
【００１７】
一般の家庭用冷蔵庫は冷凍室とはいえ、−２０℃〜−２２℃ほどの為、冷凍するのではなくて冷凍品の保管をするのがせいぜいのレベルと言える。
しかし、この冷凍システムは温度ではなくスピードで凍結する方法であり、気体凍結とは違うため、一般の冷蔵庫の冷凍室でも−１００℃のチッソガス冷凍に負けないほどの力を発揮することが可能となる。
【実施例２】
【００１８】
次で本発明の第２実施例を説明する。
第２実施例は、新規に電気冷蔵庫に組込む冷凍専用室を設けるものであるから設計上の自由度が大である。必須用件として、冷凍温度を少なくとも−３０℃以上の低温とする。又、冷却プレートに強制的に冷気を吹付けるためのファンを冷凍室内に設けることである。その他は第１実施例で述べたと略々同じである。
【００１９】
図５は第２実施例の正面図、図６，７は側面の要部のみを示す図である。
第２実施例では、ブライン袋を直接冷凍室内に載置するので、ブライン袋収容容器１０が不要となる。すなわちこれらの図に示す如く，ブライン袋２０は冷凍室内に配置した平坦な底部冷却プレート３２上に配置する。
上側の冷却プレート１２は第１実施例と同様にブライン袋の上側に配置する。この場合そのヒンジ１４は冷凍室に取付けたベース３４に直接枢支させる。
【００２０】
第２実施例の特徴は、冷凍室内に冷気撹拌用ファン４０より冷却コイル３５に送風し、冷却空気を上側の冷却プレート１２に向って吹付けることで冷凍速度を数倍に早くすることである。
その冷却効果は、山岳登山で，無風状態であれば−３０℃でも格別に寒さを感じないが、風があると、−２０℃でもたちまち凍傷を起す等の危険があることで良く知られるところである。
【００２１】
図６は被冷凍食品３０の挿入時を示す略図で、このとき冷気用のファンは停止していることを示す。
【００２２】
図７は冷凍動作中を示し、冷凍初期に冷却ファン４０より冷却コイル３５へ送風し、冷却プレート１２に向け冷気を送る状況を示している。図中の矢印は冷却空気の流れを示す。
【００２３】
（効果）
本発明の第１実施例では、数多くの既存の電気冷蔵庫へ、簡易冷凍器を持込むことにより家庭等で簡単に冷凍食品を作成し、かつ保存が可能となる。
【００２４】
本発明の第２実施例では、冷凍専用の冷凍室を設けた電気冷蔵庫により、より完全な冷凍が可能となった。
【００２５】
本発明による液面接触による冷凍効果、すなわち急速に冷凍可能で、単に低温の空気中に放置する場合に比し、約８倍の速度で冷凍できる作用の原理は、例えば沸騰していて、約１００℃の湯に手を触れれば大火傷を生ずるのに対し、１００℃以上ものサウナ風呂に入っても何等火傷を負わないことにより想像できよう。
実験の結果約２０ｍｍ〜３０ｍｍ厚の牛肉の冷凍が気体中の冷凍に比し約８分の１の時間で可能なことが判った。すなわち凍結時間は一般気体による凍結時間の約８分の１ほどで、肉や魚でも解凍時にドリップの出ない凍結品が出来あがることが確認された。
【図面の簡単な説明】
【００２６】
【図１】図１は本発明による第１実施例の簡易冷凍器の一例を示す斜視図。
【図２】図２は同平面図。
【図３】図３は同正面図。
【図４】図４は一部を断面とした略側面図。
【図５】図５は本発明の第２実施例で新規の電気冷蔵庫に設ける専用の冷凍室の略正面図。
【図６】図６は同略側面図で、被冷凍品の挿入時の略図。
【図７】図７は同じく略側面図で冷凍動作中を示す略図である。
【符号の説明】
【００２７】
１０    ブライン袋収容容器
１２，３２    冷却プレート
１４    ヒンジ
１６    ヒンジ係合用の溝
１８    フィン
２０    ブライン袋
３０    被冷凍品
３４    取付けベース
３５    冷却コイル
４０    ファン
【図１】
2005192533.tif 000003
【図２】
2005192533.tif 000004
【図３】
2005192533.tif 000005
【図４】
2005192533.tif 000006
【図５】
2005192533.tif 000007
【図６】
2005192533.tif 000008
【図７】
2005192533.tif 000009